(57)【要約】【課題】  取引カードの偽造さらに暗証番号を盗まれたとしても、不正な出金取引が行われることを防止する。【解決手段】  出金取引において、暗証番号のほかに出金金額の端数データの照合による本人認証を行うことで、暗証番号が他人に知られた場合でも、正当な利用者以外による不正な出金取引を防止するという効果が期待できる。【選択図】  図１
2007226603.tif 000002
【特許請求の範囲】
【請求項１】
利用者が携帯する媒体上の暗証番号と利用者が入力手段から入力した暗証番号の一致の確認、または金融機関等の記憶手段に格納した暗証番号と利用者が入力手段から入力した暗証番号の一致の確認により出金取引が行われる現金自動取引装置において、
前記出金取引の出金金額に本人識別のための照合エリアを設け、前記暗証番号に加えて照合エリアによる本人識別判定を行うことを特徴とする現金自動取引装置。
【請求項２】
請求項１の現金自動取引装置において、
前記照合エリアは出金金額の下３桁であることを特徴とする現金自動取引装置。
【発明の詳細な説明】
【技術分野】
【０００１】
本発明は、金融機関等で使用される現金自動取引装置において、出金取引時の本人認証方法に関し、特に暗証番号が盗まれた場合でも、不正に出金されることを防止するものである。
【背景技術】
【０００２】
従来、現金自動取引装置等を用いた不正取引を防止するため、取引開始直前の本人確認作業は、利用者である預貯金者等が携帯し預貯金者を特定する記録情報が格納されたカード等の媒体上の暗証番号と、預貯金者が入力手段から入力した暗証番号の一致の確認、または金融機関等のホストコンピュータの記憶手段に格納した預貯金者取引情報の暗証番号と、預貯金者が入力手段から入力した暗証番号の一致の確認により取引が行われていた。このように金融機関から支給された取引カードを使用することと、暗証番号を入力することで本人確認をしないと取引をすることはできなかった。
【０００３】
しかしながら、カード等の偽造や不正に暗証番号が知られた場合、取引が本人以外によって行われてしまうという問題があった。このような問題を解決するため、特開平５−２４２１３０号は、取引操作直前に前回入力した暗証番号を入力し、取引終了後に次回の取引操作を行わせる為の暗証番号を入力しておく方式があった。
【０００４】
【特許文献１】特開平５−２４２１３０号公報
【発明の開示】
【発明が解決しようとする課題】
【０００５】
しかしながら、上述した従来の技術は、預貯金者が携帯し預貯金者を特定する記録情報が格納された取引カード等の媒体上の暗証番号と、預貯金者が入力手段から入力した暗証番号の一致の確認、または金融機関等のホストコンピュータの記憶手段に格納した暗証番号と、預貯金者が入力手段から入力した暗証番号の一致の確認により取引が行われているため、自動取引装置操作中に背後から次回の取引操作を行わせる為の暗証番号を覗き見されたり、誕生日や電話番号、自動車のナンバープレートなどから暗証番号を推察されたりして、盗難された取引カード、または偽造された取引カード等を用いて不正に取引が行われるといった問題があった。
【課題を解決するための手段】
【０００６】
上記問題を解決するため本願発明は、利用者である預貯金者等が携帯し預貯金者を特定する記録情報が格納された媒体上の暗証番号と、預貯金者が入力手段から入力した暗証番号の一致の確認、または金融機関等のホストコンピュータの記憶手段に格納した暗証番号と、預貯金者が入力手段から入力した暗証番号の一致の確認により出金取引が行われる現金自動取引装置において、前記出金取引の出金金額に本人識別のための照合エリアを設け、前記暗証番号のほかに出金金額により本人識別判定を行うことを特徴とするものである。
【発明の効果】
【０００７】
本発明の現金自動取引装置によれば、出金取引において、暗証番号のほかに出金金額の照合による本人認証を行うことで、暗証番号が他人に知られた場合でも、正当な利用者以外による不正出金取引を防止するという効果が期待できる。
【発明を実施するための最良の形態】
【０００８】
以下、本発明の実施例について図面に従って詳細に説明する。
第１図は、この発明に係る構成を示すブロック図であり、１は現金自動取引装置である。現金自動取引装置１はカード処理部１１、紙幣入出金部１２、硬貨入出金部１３、入力操作部１４、表示部１５は、制御部１６から構成されていて、カード処理部１１、紙幣入出金部１２、硬貨入出金部１３、入力操作部１４、表示部１５は、制御部１６と接続されている。また現金自動取引装置１はホストコンピュータ３と通信回線２によって接続されている。ホストコンピュータ３は、主制御部３１、暗証番号照合部３２、端数データ照合部３３を備えている。第２図は、入力金額における照合エリアを説明する説明図である。第３図は、本発明の処理動作のフローチャートである。
【０００９】
図１において、１は現金自動取引装置であり、銀行等の金融機関またはコンビ二エンスストア等に設置されるものである。この現金自動取引装置１は利用者の操作により現金の入金取引，出金取引，振込み等各種金融取引ができるものである。
【００１０】
３はホストコンピュータであり、銀行等の金融機関の事務センタ等に設置される。このホストコンピュータ３は現金自動取引装置１で利用者の口座への入金および利用者の口座からの出金等の取引を行う場合、現金自動取引装置１との間で入金、出金等の取引データ等の送受信を通信回線２を介して行う。
なお、ホストコンピュータ３は通信回線２を介して、１台または２台以上の自動取引装置１と相互に通信可能に接続されている。
【００１１】
ホストコンピュータ３の主制御部３１は、暗証番号照合部３２、端数データ照合部３３から構成されている。
【００１２】
カード処理部１１は、利用者がカード挿入口から挿入した取引カードの磁気ストライプまたはＩＣチップ等から口座情報，名前および暗証番号等の利用者情報を読み取りまたは磁気ストライプ等に書き込む。利用者情報を読み取りまたは書き込みした取引カードはカード排出口から排出して利用者に返却する。
【００１３】
紙幣入出金部１２および硬貨入出金部１３は、取引に伴う紙幣や硬貨の入出金処理を行うものである。ここで、入金処理とは利用者が紙幣入出金口に入れた紙幣を紙幣入出金機で計数して金庫に収納し、硬貨入出金口に入れた硬貨を硬貨入出金機で計数して金庫に収納することである。
【００１４】
また、出金処理とは利用者の操作により指定した金額に相当する紙幣および硬貨をそれぞれ紙幣出金部１２および硬貨出金部１３の金庫から繰り出して計数し紙幣出金口および硬貨出金口に搬送して利用者に払い出すことである。
【００１５】
入力操作部１４および表示部１５は、ディスプレイ等の表示部１５上にタッチパネルを配置し利用者が入力操作を行うものであり、また、取引選択画面、利用者が選択した取引に対して利用者の入力操作等の誘導を行う画面および入力された情報等を表示するものである。
【００１６】
１６は制御部であり、カード処理部１１，紙幣入出金部１２，硬貨入出金部１３，入力操作部１４および表示部１５等に接続されている。この制御部１６は現金自動取引装置１全体の動作を記憶部（図示しない）に格納されたプログラム（ソフトウエア）にて制御する。
【００１７】
上述した構成の動作について、図３の処理動作のフローチャートにしたがって説明する。なお、以下に説明する各部の動作は記憶部（図示しない）に格納されたプログラム（ソフトウエア）に基づいて制御部１６により制御される。
【００１８】
まず、利用者は金融機関等に、あらかじめ口座情報，名前，暗証番号および出金時に入力する金額の端数（例えば、金額の下３桁）を、本人を識別する照合エリア１００として、そのエリアに入力する値（以下、端数データとする。）を登録しておく。
【００１９】
金融機関等は口座情報および名前等に関連させて、主制御部３１の暗証番号照合部３２に暗証番号を、出金時に入力する金額の端数（例えば、金額の下３桁）を、本人を識別する照合エリア１００として、そのエリアに入力する値（以下、端数データとする。）を端数データ照合部３３に登録しておく。
【００２０】
図３は、実施例における現金自動取引装置１の本人認証方法のフローチャートでありＳＴで表すステップにしたがって説明する。
ＳＴ１：現金自動取引装置１の図示しない近接センサが利用者の接近を検知すると利用者操作表示部１５は取引選択画面を表示する。この取引選択画面は「現金の預け入れ」、「現金の出金」、「振込み」等を表示する。ここで、利用者は「現金の出金」の取引選択ボタンを押下するものとする。
【００２１】
利用者により「現金の出金」ボタンが押下されると利用者操作表示部２１は取引カード挿入誘導画面を表示する。この取引カード挿入誘導画面には「取引カードを入れてください」等の文言等を表示する。
【００２２】
取引カードが現金自動取引装置１のカード処理部１１に投入されると、カード処理部１１は挿入された取引カードに記憶された口座番号等の口座情報を読み取り、ホストコンピュータ３へ送信する。利用者の口座情報を受信したホストコンピュータ３は、利用者の口座情報等を確認して現金自動取引装置１に連絡する。
【００２３】
ＳＴ２：現金自動取引装置１の表示部１５は暗証番号入力画面を表示する。この暗証番号入力画面には「暗証番号を押してください」等の文言および数字「０」から「９」までのテンキー等を表示する。  利用者は表示部１５に表示されたテンキーを押下して暗証番号を入力する。
【００２４】
ＳＴ３：入力された暗証番号は、制御部１６を介してホストコンピュータ３に伝えられる。ホストコンピュータ３の暗証番号照合部３２では、取引カードより読み取った暗証番号と入力された暗証番号を比較し、その値が一致すれば出金金額入力処理に移行する。
【００２５】
ＳＴ４：出金金額入力処理では、利用者は出金金額を入力する。入力する金額（値）は、支払い金額＋端数データとし、その値は制御部１６を介して、ホストコンピュータ３へ伝えられる。
【００２６】
ＳＴ５：ホストコンピュータ３の端数データ照合部３３では、入力された金額の照合エリア１００の値と、あらかじめ登録しておいた端数データの値を比較し、その値が一致すれば、利用者が本人であると判断し支払い取引を成立させる。
【００２７】
表示部１５は紙幣入出金部１２および硬貨入出金部１３に出金金額に相当する現金を出金することを表示し、現金の計数を開始するとともに表示部１５に「現金計数中」と表示する。入出金部２３は計数した紙幣および硬貨を紙幣入出金部１２および硬貨入出金部１３に集積し、利用者へ排出する準備をする。
【００２８】
紙幣入出金部１２および硬貨入出金部１３が現金の計数を完了すると、明細票に取引内容等を印刷し排出口から排出する。
【００２９】
利用者が排出された現金および明細票を受け取ると現金の支払い取引を終了する。
【００３０】
本実施例においては、端数データの入力を出金金額の下３桁としたが、端数データの出金の可否等の選択を含め、本実施例に限定されるものでなく、本発明の趣旨を逸脱しない限りにおいて、いろいろな変更が可能であることは言うまでもない。
【図面の簡単な説明】
【００３１】
【図１】本発明の構成を示すブロック図である。
【図２】入力金額における照合エリアを説明する説明図である。
【図３】本発明の処理動作のフローチャートである。
【符号の説明】
【００３２】
１    現金自動取引装置
２    通信回線
３    ホストコンピュータ    
１１  カード処理部
１２  紙幣入出金部
１３  硬貨入出金部
１４  入力操作部
１５  表示部
３１  主制御部
３２  暗証番号照合部
３３  端数データ照合部
【図１】
2007226603.tif 000003
【図２】
2007226603.tif 000004
【図３】
2007226603.tif 000005